(57)【要約】【課題】排液時に使用者が機器本体の持つ位置を規制し、その取り扱いを容易とした電気湯沸かし器などの電気機器を提供することを目的とする。【解決手段】機器本体１の底面に設け液体収納容器４の排液時に機器本体１を保持する保持部１６を有するものである。これによって、排液時に使用者の機器本体１を持つ位置が規制され、保持部１６を保持して機器本体１を倒し、排液ぶ１１から排液することができ、排液性を向上させ取り扱いが容易となるとともに、給電部９を不意に濡らしてしまうという不具合をなくすことが可能になる。【選択図】図３
2008113991.tif 000002
【特許請求の範囲】
【請求項１】
給電部を有する機器本体と、機器本体に取付けられた把手と、機器本体内に設けられた液体収納容器と、機器本体の底面に設け液体収納容器の排液時に機器本体を保持する保持部とを有する電気機器。
【請求項２】
機器本体の底面に設けた保持部は、機器本体の底面にくぼみを形成して構成した請求項１に記載の電気機器。
【請求項３】
機器本体を正面から見て左右の少なくとも一方に膨出部を設け、この膨出部内の底面に保持部を設けた請求項１または２に記載の電気機器。
【請求項４】
機器本体に取付けられた把手は回動可能とし、機器本体を正面から見て前方に倒したときにその位置が保持されるようにした請求項１〜３のいずれか１項に記載の電気機器。
【請求項５】
液体収納容器の排液時における排液部を、機器本体の給電部上方を避けた位置に設置し、機器本体の底面に設けた保持部は、排液部の略対称位置の機器本体底面に設けた請求項１〜４のいずれか１項に記載の電気機器。
【請求項６】
液体収納容器の排液時における排液部と、機器本体の底面に設けた保持部は、液体収納容器の開口部を開閉する蓋体を取付けるためのヒンジ部を避けた位置に設けた請求項５に記載の電気機器。
【発明の詳細な説明】
【技術分野】
【０００１】
本発明は、液体収納容器を有する電気湯沸かし器などの電気機器に関するものである。
【背景技術】
【０００２】
従来、電気湯沸かし器において、機器本体内に収納されている液体収納容器の排液時には、排液方向を規制するように配慮されているものが知られている（例えば、特許文献１参照）。また、機器本体の上枠上面を超え溢水した場合に液体が直接給電部にかからないような配慮がされているものも知られている（例えば、特許文献２参照）。
【特許文献１】実開昭６１−１２６９３８号公報
【特許文献２】特開２００３−３８３５１号公報
【発明の開示】
【発明が解決しようとする課題】
【０００３】
しかしながら、前記従来の特許文献１参照の構成では、排液方向を規制されてはいるが、機器本体を傾けて排液する際に機器本体を持つ位置がわかりにくく、一旦持ち替えて所定の位置を下に向ける必要があった。
【０００４】
また、特許文献１参照の構成では、溢水時には給電部にかからないよう配慮されてはいるが、排液時にはやはり機器本体を持つ位置がわかりにくく、持ち替えが必要であった。
【０００５】
本発明は、前記従来の課題を解決するもので、排液時に使用者が機器本体の持つ位置を規制し、その取り扱いを容易とした電気湯沸かし器などの電気機器を提供することを目的とする。
【課題を解決するための手段】
【０００６】
前記従来の課題を解決するために、本発明の電気機器は、機器本体の底面に設け液体収納容器の排液時に機器本体を保持する保持部を有するものである。
【０００７】
これによって、排液時に使用者の機器本体を持つ位置が規制され、保持部を保持して機器本体を倒し、所定位置から排液することができ、排液性を向上させ取り扱いが容易となるとともに、給電部を不意に濡らしてしまうという不具合をなくすことが可能になる。
【発明の効果】
【０００８】
本発明の電器湯沸かし器は、排液時に使用者が機器本体の持つ位置を規制し、その取り扱いを容易としたもので、給電部を不意に濡らしてしまうという不具合をなくすことが可能になる。
【発明を実施するための最良の形態】
【０００９】
第１の発明は、給電部を有する機器本体と、機器本体に取付けられた把手と、機器本体内に設けられた液体収納容器と、機器本体の底面に設け液体収納容器の排液時に機器本体を保持する保持部とを有する電気機器としたことにより、排液時に使用者の機器本体を持つ位置が規制され、保持部を保持して機器本体を倒し、所定位置から排液することができ、排液性を向上させ取り扱いが容易となるとともに、給電部を不意に濡らしてしまうという不具合をなくすことが可能になる。
【００１０】
第２の発明は、特に、第１の発明において、機器本体の底面に設けた保持部は、機器本体の底面にくぼみを形成して構成したことにより、外観を損ねることなく排液時に機器本体の持つ位置を規制させる形態を提供することができる。
【００１１】
第３の発明は、特に、第１または第２の発明において、機器本体を正面から見て左右の少なくとも一方に膨出部を設け、この膨出部内の底面に保持部を設けたことにより、底面に設けた保持部の持ちやすさを向上させることができる。
【００１２】
第４の発明は、特に、第１〜第３のいずれか１つの発明において、機器本体に取付けられた把手は回動可能とし、機器本体を正面から見て前方に倒したときにその位置が保持されるようにしたことにより、排液時の把手の持ちやすさを向上させることができる。
【００１３】
第５の発明は、特に、第１〜第４のいずれか１つの発明において、液体収納容器の排液時における排液部を、機器本体の給電部上方を避けた位置に設置し、機器本体の底面に設けた保持部は、排液部の略対称位置の機器本体底面に設けたことにより、排液時に使用者が、給電部を不意に濡らしてしまうことを防止することができる。
【００１４】
第６の発明は、特に、第５の発明において、液体収納容器の排液時における排液部と、機器本体の底面に設けた保持部は、液体収納容器の開口部を開閉する蓋体を取付けるためのヒンジ部を避けた位置に設けたことにより、排液がヒンジ部に干渉して飛散することを防止することができる。
【００１５】
以下、本発明の実施の形態について、図面を参照しながら説明する。なお、この実施の形態によって本発明が限定されるものではない。
【００１６】
（実施の形態）
図は、本発明の実施の形態における電気機器として電気湯沸かし器を例示したものである。
【００１７】
図１に示すように、機器本体１は、上枠２とボデー３より構成されており、内部には底面に薄板状のマイカヒーターなどの発熱体を備えた貯水可能な液体収納容器４を収容している。液体収納容器４内の水の温度を感知するセンサー、マイコンなどの電子部品により構成された制御ユニット（図示せず）、操作スイッチなどの部品から成る操作ユニット（図示せず）などにより液体収納容器４内の水を加熱保温することができる。前記上枠２には、液体収納容器４の開口部５を開閉する蓋体６を取り外し可能に取付けるためのヒンジ部７および前記操作ユニットを操作するための操作部８を備えている。
【００１８】
給電部９はヒンジ部７の下方を避けたボデー３の後方下部に設けており、前記制御ユニットに電源を外部から供給するための電源コード１０が接続されるである。ヒンジ部７の下方とはヒンジ部７の幅で鉛直方向にある範囲を意味する。
【００１９】
前記ボデー３は電気機器を正面から見て左右対称位置の縦方向に膨出部１２、１２’を設け、その一方の正面から見て給電部９側の膨出部１２に通水管１３、他方の膨出部１２’に制御ユニットを設置するようになっている。膨出部１２には液体収納容器４内の水量が確認できるように通水管１３の水位窓１４が設けてある。
【００２０】
機器本体１の両側方に位置してＵ字状の把手２２が取付けられている。本実施の形態では、機器本体１の中心とヒンジ部７の中心をつないだ方向に対して鉛直方向になるように設置されている。把手２２は機器本体１を構成する上枠２、ボデー３のいずれかに取付けられている。
【００２１】
また、図２に示すように、ボデー３前方に位置する膨出部１２、１２’の相互間は、正面側では滑らかな円弧面で連続し、両側面から背面にわたる範囲においては、液体収納容器４と同様の円筒面となっている。膨出部１２（給電部９側）のボデー３の底面１５には、凹形状にくぼみを形成して保持部１６を構成しており、そのくぼみの深さは、５ｍｍ以上で設定されている。また、保持部１６は底面１５に配置される機器本体１を回転させることが可能とする回転台１７や底板１８など、電気機器の構成部の配置を妨げないような範囲のスペースで可能な限り大きくすることが望ましい。また、底面１５に設けられているくぼみを形成する各コーナーはＲ（曲面）を施すような形状としている。また底面１５に構成される稜２０とくぼみの天面の角２１にもＲを施している。もう一方の膨出部１２’にはマイコンなどの電子部品により構成された制御ユニットを収納している。
【００２２】
また、図３に示すように、機器本体１を構成する上枠２の内面の一部には、くぼみを設けて排液部１１を構成している。本実施の形態では、この排液部１１は給電部９に対して機器本体１中心線の略対称位置に位置し、給電部９の上方を避けて配置されている。給電部９の上方とは給電部９の幅で鉛直方向にある範囲を意味する。また、排液部１１の近傍には、使用者に排液部１１の位置を表示するために、液体収納容器４の内面に印刷（矢印とハイスイ）を施しているが、この表示は上枠２に刻印を施してもよい。
【００２３】
上記の構成においてヒンジ部７、給電部９、排液部１１、保持部１６の位置関係は、機器本体１を正面から見たときに、後方部の上枠２の中央にヒンジ部７、ヒンジ部７の左側に排液部１１、右側下部にボデー３に設置された給電部９、ボデー３の前方右側底面１５に保持部１６となっており、排液部１１と保持部１６は、ヒンジ部７を避けた位置で略対称位置に設けられている。本実施の形態では、排液部１１と通水管１３も同じくヒンジ部７を避けた位置で略対称位置になっている。
【００２４】
次に、本実施の形態での把手２２の機器本体３への取付け状態について図４〜図８を用いて説明する。
【００２５】
図４は、把手２２をボデー３に組み立て時の際の相対的位置関係を模式的に示している。ボデー３上端近くの左右両側にそれぞれ鍵状穴２３、２４を設けている。把手２２の内側両端の軸２５、２６には半径方向に突出した鍵状突起２７、２８を設け、この鍵状突起２７、２８をボデー３の鍵状穴２３、２４へ挿入している。このとき把手２２の右の鍵状突起２７と鍵状穴２３のボデー３に対する角度はαであり、左の鍵状突起２８と鍵状穴２４の角度はβとなっており、この位置では把手２２はボデー３に対して着脱ができるようになっている。
【００２６】
また、ボデー３の鍵状穴２３、２４の近傍でボデー３の内面には、所定角度のみ把手２２の鍵状突起２７、２８の端面と当接して把手２２の回動力を変化させる付勢リブ２９、３０を設けている。
【００２７】
そして、組み立て後の把手２２の可動回転範囲は図５のようになる。すなわち、把手２２を後ろへ倒した時はボデー３に当接するまで回動可能であり、前へ倒した時は上枠２の操作部８へ当接するまで回動可能となる。また、付勢リブ２９、３０が把手２２の回動力を及ぼす範囲を把手２２が上方に上がった状態から上枠２の操作部８へ当接する間（図中の範囲Ｘ）に設定している。図６は、把手２２を持って機器本体１を持ち上げた状態を示しており、把手２２は直立している。この時点では鍵状突起２７、２８はボデー３の鍵状穴２３、２４よりずれているので、把手２２がはずれることはない。図７は、把手２２を前へ倒した時の把手２２とボデー３の鍵状穴２３、２４の相対的位置関係を示したもので、この時点でも鍵状突起２７、２８は鍵状穴２３、２４よりずれているので把手２２がはずれることはない。また、図８は、把手２２を後ろへ倒した時の把手２２とボデー３の鍵状穴２３、２４の相対的位置関係を示したもので、この時点でも鍵状突起２７、２８は鍵状穴２３、２４よりずれているので把手２２がはずれることはない。
【００２８】
図９は、液体収納容器４の排液の様子を示している。
【００２９】
ここで、電気機器の液体収納容器４内の液（湯）を排液する場合、まず蓋体６をヒンジ部７から取り外す。その際、把手２２は操作部８を操作しやすいように後ろへ倒してボデー３に当接する状態としているが、機器本体１運搬のため上方向に回動させるとき、把手２２は上方に上がった状態から上枠２の操作部８へ当接する間、付勢リブ２９、３０と鍵状突起２７、２８と当接作用により回動加重が大きくなる。このため、把手２２は図５の範囲Ｘの間で付勢がかかり、上枠２の操作部８に当接するまでスムーズな移動ができず必ず使用者の手が入りやすいよう空間が確保されることになる。そこで、機器本体１を上方に上げ、機器本体１の底面１５に設けた保持部１６に他方の手を添え横方向に傾けると、図９のように液体収納容器２内の液は排液部１１より放出される。このとき、液は、ヒンジ部７を避けてスムーズに放出されるため、飛散したり給電部９が濡れたりすることがない。
【００３０】
以上のように、本実施の形態では、機器本体１に設置した把手２２と、底面１５に機器本体１を支えて横に倒すことのできる保持部１６を有することにより、排液性を向上させることができる。
【００３１】
また、機器本体１の底面に設けた保持部１６は、機器本体１の底面にくぼみを形成して構成したことにより、外観を損ねることなく排液時に機器本体１の持つ位置を規制させる形態を提供することができる。
【００３２】
また、機器本体１を正面から見て左右の少なくとも一方に膨出部１２を設け、この膨出部１２内の底面に保持部１６を設けたことにより、底面に設けた保持部１６の持ちやすさを向上させることができる。
【００３３】
また、機器本体１に取付けられた把手２２は回動可能とし、機器本体１を正面から見て前方に倒したときにその位置が保持されるようにしたことにより、排液時の把手２２の持ちやすさを向上させることができる。
【００３４】
また、液体収納容器４の排液時における排液部１１を、機器本体１の給電部９上方を避けた位置に設置し、機器本体１の底面に設けた保持部１６は、排液部１１の略対称位置の機器本体１底面に設けたことにより、排液時に使用者が、給電部９を不意に濡らしてしまうことを防止することができる。
【００３５】
また、液体収納容器４の排液時における排液部１１と、機器本体１の底面に設けた保持部１６は、液体収納容器４の開口部を開閉する蓋体６を取付けるためのヒンジ部７を避けた位置に設けたことにより、排液がヒンジ部７に干渉して飛散することを防止することができる。
【００３６】
なお、本実施の形態では、保持部１６は凹形状にくぼみを設けて構成したが、これに限定されるものではなく、排液時に機器本体底面に機器本体を支えるための突起形状であっても同様の効果が得られるものである。
【００３７】
また、本実施の形態では、電気機器として、電気湯沸かし器を例にとって説明したが液（湯）を扱う機器であれば同様に適用できるものである。
【産業上の利用可能性】
【００３８】
以上のように、本発明にかかる電気機器は、排液時に使用者が機器本体の持つ位置を規制し、その取り扱いを容易としたもので、給電部を不意に濡らしてしまうという不具合をなくすことが可能になるので、電気湯沸かし器はもちろんのこと、加湿器、コーヒーメーカーなどの機器にも適用できる。
【図面の簡単な説明】
【００３９】
【図１】本発明の実施の形態における電気機器の斜視図
【図２】同電気機器の下面図
【図３】同電気機器の蓋体を外したときの斜視図
【図４】同電気機器の把手取付け時の機器本体と把手の位置を示す模式図
【図５】同電気機器の組み立て後における把手の可動回転範囲を示す側面図
【図６】同電気機器の把手直立時の機器本体と把手の位置を示す模式図
【図７】同電気機器の把手最前倒時の機器本体と把手の位置を示す模式図
【図８】同電気機器の把手最後倒時の機器本体と把手の位置を示す模式図
【図９】同電気機器の排液状態を示す斜視図
【符号の説明】
【００４０】
１  機器本体
４  液体収納容器
５  開口部
６  蓋体
７  ヒンジ部
９  給電部
１１  排液部
１２、１２’  膨出部
１５  底面
１６  保持部
２２  把手
２９、３０  付勢リブ
【図１】
2008113991.tif 000003
【図２】
2008113991.tif 000004
【図３】
2008113991.tif 000005
【図４】
2008113991.tif 000006
【図５】
2008113991.tif 000007
【図６】
2008113991.tif 000008
【図７】
2008113991.tif 000009
【図８】
2008113991.tif 000010
【図９】
2008113991.tif 000011